(57)【特許請求の範囲】
【請求項１】
略長方形状の第１のバネ部と、前記第１のバネ部の長手方向一端部で一方の長辺から突出し、相手側コンタクトと接触して電気的接続を行うための接触部と、前記第１のバネ部の長手方向他端部から前記接触部とは反対向きに延設され、絶縁ハウジングに固定される基部と、前記基部から前記第１のバネ部の他方の長辺に隣接して前記長手方向一端部に対応する位置までのびた第２のバネ部とを備え、前記第１のバネ部及び前記第２のバネ部は平板部を分割して形成されたものであり、前記接触部に前記相手側コンタクトから押圧荷重が加わったときには前記第１のバネ部及び前記第２のバネ部が互いに当接した状態で同一方向に変位することを特徴とする電気コネクタの接触子。
【請求項２】
請求項１に記載の電気コネクタの接触子において、前記第１および前記第２のバネ部と前記基部との間には穴が形成されていることを特徴とする電気コネクタの接触子。
【発明の詳細な説明】
【０００１】
【発明の属する技術分野】
本発明は、電気コネクタの接触子に関するものである。
【０００２】
【従来の技術】
この種の電気コネクタの接触子として、実開平７−１８３６５号および実開昭６３−２２０７４号がある。
【０００３】
また、本発明の特許出願人（日本航空電子工業株式会社）の特開平９−２０４９６９号では、ＰＧＡ用の電気コネクタの接触子が開示されている。
【０００４】
【発明が解決しようとする課題】
しかしながら、このような従来例の電気コネクタの接触子では、構造が複雑で、かさばるだけでなく、高価で製造も困難である。
【０００５】
また、十分に変位でき、かつ、小型に製造されると、接触力を低く設計せざるを得ない。換言すれば、大きい接触力を得ようとして製造し、十分に変位させようとすると、塑性変形を起こし易く、所望の設計ができないという欠点がある。
【０００６】
そこで、本発明の技術的課題は、簡単な構造で、小型で容易に製造可能で、しかも高い接触力が得られ、十分に変位させても塑性変形しない電気コネクタの接触子を提供することである。
【０００７】
【課題を解決するための手段】
本発明は、課題を解決するために、次の手段を採用する。
【０００８】
（１）略長方形状の第１のバネ部と、前記第１のバネ部の長手方向一端部で一方の長辺から突出し、相手側コンタクトと接触して電気的接続を行うための接触部と、前記第１のバネ部の長手方向他端部から前記接触部とは反対向きに延設され、絶縁ハウジングに固定される基部と、前記基部から前記第１のバネ部の他方の長辺に隣接して前記長手方向一端部に対応する位置までのびた第２のバネ部とを備え、前記第１のバネ部及び前記第２のバネ部は平板部を分割して形成されたものであり、前記接触部に前記相手側コンタクトから押圧荷重が加わったときには前記第１のバネ部及び前記第２のバネ部が互いに当接した状態で同一方向に変位することを特徴とする電気コネクタの接触子。
【０００９】
（２）  （１）に記載の電気コネクタの接触子において、前記第１および前記第２のバネ部と前記基部との間には穴が形成されていることを特徴とする電気コネクタの接触子。
【００１３】
【作用】
コネクタ嵌合の際、電気コネクタの接触子は、その接触部において、相手側コンタクトを受容する。このとき、電気コネクタの接触子の接触部に変位させる荷重が加わる。
【００１４】
詳しく述べると、一方の梁、および隣接する他方の梁は、同時に押され、弾性変位する。すなわち、電気コネクタの接触子は、基部を共通の固定端とした少くとも一対の片持ち梁として作用する。
【００１５】
【発明の実施の形態】
（本発明の関連発明）
本発明の形態による電気コネクタの接触子を説明する前に、本発明の関連発明を説明する。
【００１６】
図４及び図７を参照して、本発明の関連発明に係る電気コネクタの接触子１１は、導電性の平坦な板材より形成され、相手側コンタクト４５を受容する方向に沿って設けられる接触部１３と、相手側コンタクト４５を受容する方向に直交する方向に接触部１３から延びるバネ部１５と、相手側コンタクト４５（図７）を受容する方向に平行にバネ部１５の他端から延設する基部１７、固定用のフック部１８、および半田付け端子１９とを備える。図１４に示すように、接触子１１のバネ部１５では、接触力は高いが十分に変位ができない。
【００１７】
また、図５には、本発明の関連発明の変形例に係る電気コネクタの接触子１１−１が示されている。図１４に示すように、この接触子１１−１では、十分に変位ができるが、バネ部１５−１の接触力が低い。
【００１８】
（本発明の第１の実施の形態例）
さて、本発明の第１の実施の形態例による電気コネクタの接触子について図面を参照して説明する。
【００１９】
図１〜図３、及び図７に示すように、本発明の第１の実施の形態例による電気コネクタの接触子２１は、ソケット側・プラグ側コネクタ対の内、ソケット側コネクタ５１に使用され、平坦な面で形成されている。ソケット側コネクタ５１はソケット側絶縁ハウジング５５（図７）を備えている。ソケット側絶縁ハウジング５５の長手方向に沿って両内側には、所定の狭いピッチで穿設された多数の溝を備えているので、電気コネクタの接触子２１を狭いピッチで多数個すなわち２列に並べて植設されている。
【００２０】
一方、図７〜図１３、特に図１２を参照して、本発明の第１の実施の形態例によるプラグ側コネクタ４１の接触子４５は、接触部４７と、フック部４９とを備える。このプラグ側コネクタ４１は、プラグ側絶縁ハウジング４３を備える。プラグ側コネクタ４１の接触子４５は、ソケット側コネクタ５１の接触子２１に一対一に対応するように、プラグ側絶縁ハウジング４３の長手方向に沿ってその上面に穿設された２列の溝にフック部４９を引っ掛けて配列されている。
【００２１】
図１を参照して、詳しく述べると、ソケット側コネクタ５１の接触子２１は、一・他端及び両側を持つ略長方形状の平坦な板材を有する第１のバネ部３１と、第２のバネ部３２と、第１のバネ部３１の一端から相手側コンタクト４５（図７、図１２、及び図１３）の受容方向に沿って突出し、相手側コンタクト４５の接触部４７と接触して電気的接続を行うための接触部２２と、相手側コンタクト４５の受容方向に平行に第１のバネ部３１の他端から延設され、ソケット側絶縁ハウジング５５（図７）の両内側の溝の中に埋め込まれ固定される基部２７、フック部２８、および半田付け端子２４とを備える。
【００２２】
第２のバネ部３２は、一端同士が連なり、側同士が第１のバネ部３１と隣接するとともに、他端が基部２７として延びる。
【００２３】
また、第１および前記第２のバネ部３１および３２の他端同士と基部２７との間には、穴３５が形成され、それにより、隣接する側同士の長さの精度を向上させる。尚、隣接する側同士の長さの精度が不要の場合には、図６の電気コネクタの接触子２１−１を用いる。
【００２４】
図１４に示すように、本発明に係る電気コネクタの接触子２１によれば、図３の２１および図４の１１と対比すると、所望の荷重Ａおよび変位量Ｄという直線部が塑性変形しない大きな領域が得られる。
【００２５】
（本発明の第２の実施の形態例）
次に、本発明の第２の実施の形態例による電気コネクタの接触子について図面（図１５及び図１６）を参照して説明する。
【００２６】
図１３に示す本発明の電気コネクタの接触子６１は、ＦＰＣ用コネクタに使用され、ＦＰＣ７３と接触する接触部６３と、第１のばね部６４−１と、第２のばね部６４−２と、固定端部６５と、基部６７と、半田付け端子６９とを備える。第１のばね部６４−１と第２のばね部６４−２と基部６７との間には、穴が形成され、第１のばね部６４−１および第２のばね部６４−２の隣接する側部分同士の長さの精度を向上させている。
【００２７】
ＦＰＣ用コネクタに使用される絶縁ハウジング７１は、一列に並んだ複数の接触子６１の接触部６３にＦＰＣ７３を案内するためのアクチュエータ（スライダー）７５を備えている。
【００２８】
図１６のアクチュエータ（スライダー）７５を９０度右に回転して開口しＦＰＣ７３を挿入した後、固定端部６５の回りを約９０度左に元の位置まで回転すると、図１５に示すように、ＦＰＣ７３はコネクタ内に組み込まれ接触部６３と接触して嵌合される。
【００２９】
【発明の効果】
本発明の電気コネクタの接触子は、コネクタ嵌合の際、基部を共通の固定端とした少くとも一対の片持ち梁として作用する。その結果、簡単な構造で、小型で容易に製造可能で、しかも高い接触力が得られ、十分に変位させても塑性変形しない電気コネクタの接触子を提供できるという効果を奏する。
【図面の簡単な説明】
【図１】本発明の第１の実施の形態例による電気コネクタの接触子２１の正面図である。
【図２】図１の第１の実施の形態例による電気コネクタの接触子２１に荷重ｆが加わったときの状態を示す図である。
【図３】本発明の第１の実施の形態例による電気コネクタの接触子２１の斜視図である。
【図４】本発明の関連発明に係る電気コネクタの接触子１１の斜視図である。
【図５】本発明の関連発明の変形例に係る電気コネクタの接触子１１−１の斜視図である。
【図６】本発明の第１の実施の形態例による電気コネクタの接触子２１の変形例を示す正面図である。
【図７】本発明の第１の実施の形態例による電気コネクタの分解斜視図である。
【図８】図７の第１の実施の形態例によるソケット側コネクタ５１の平面図である。
【図９】図７のＩＸ−ＩＸ線に沿って切断したソケット側コネクタ５１の断面図である。
【図１０】図７のソケット側コネクタ５１の正面図である。
【図１１】図７のソケット側コネクタ５１の右側面図である。
【図１２】図７のプラグ側コネクタ４１の接触子４５の斜視図である。
【図１３】図７のプラグ側コネクタ４１の２列の溝に接触子４５のフック部４９を引っ掛けて嵌め込んだときの断面図である。
【図１４】本発明の第１の実施の形態例による電気コネクタの評価試験の結果を示す図である。
【図１５】本発明の第２の実施の形態例による電気コネクタにＦＰＣ７３を嵌合させた場合であって、図１６のＸＶ−ＸＶ線に沿って切断した断面図である。
【図１６】図１５の電気コネクタで、アクチュエータ（スライダー）７５を閉じたときの斜視図である。
【符号の説明】
１１  電気コネクタの接触子
１３  接触部
１５  バネ部
１５−１  バネ部
１７  基部
１８  フック部
１９  半田付け端子
２１  電気コネクタの接触子
２１−１  電気コネクタの接触子
２２  接触部
２３  スリット
２４  半田付け端子
２７  基部
２８  フック部
３１  第１のバネ部
３２  第２のバネ部
４１  プラグ側コネクタ
４３  プラグ側絶縁ハウジング
４５  相手側コンタクト
５１  ソケット側コネクタ
５５  ソケット側絶縁ハウジング
６１  接触子
６３  接触部
６４−１  第１のばね部
６４−２  第２のばね部
６５  固定端部
６７  基部
６９  半田付け端子
７３  ＦＰＣ（Ｆｌｅｘｉｂｌｅ  Ｐｒｉｎｔｅｄ  Ｃｉｒｃｕｉｔ）
７５  アクチュエータ（スライダー）
【図１】
0003559955.tif 000002
【図２】
0003559955.tif 000003
【図３】
0003559955.tif 000004
【図４】
0003559955.tif 000005
【図５】
0003559955.tif 000006
【図６】
0003559955.tif 000007
【図７】
0003559955.tif 000008
【図８】
0003559955.tif 000009
【図９】
0003559955.tif 000010
【図１０】
0003559955.tif 000011
【図１１】
0003559955.tif 000012
【図１２】
0003559955.tif 000013
【図１３】
0003559955.tif 000014
【図１４】
0003559955.tif 000015
【図１５】
0003559955.tif 000016
【図１６】
0003559955.tif 000017